(57)【要約】  二つの平行な細長い収納構成要素を持つ収納装置に収納されるように構成された複数のプラスチック袋を含むディスク収納システムである。袋には、ディスクを受け入れるための開口部が設けられており、さらに、袋を収納装置に配置でき且つここから取り出すことができるように平行な細長い収納構成要素と係合するように構成された穴が設けられている。
2007526180.tif 000002
【特許請求の範囲】
【請求項１】
収納ラック及びこのラックと取り外し自在に係合した複数の収納袋を含む収納システムにおいて、前記収納ラックは、二つの平行な横方向に間隔が隔てられた細長い構成要素を含み、各収納袋には、前記細長い構成要素の夫々と係合するように構成された一対の係合手段が設けられており、これらの係合手段の各々は、細長い構成要素の各々に横方向に押し付けることができ且つ前記細長い構成要素からの意図せぬ係合解除に抵抗するように、弾性であり且つ開放部分を有し、前記係合手段は、前記細長い構成要素に関する前記袋の摺動を許容する、収納システム。
【請求項２】
請求項１に記載の収納システムにおいて、前記袋は、前記袋への物品の挿入及び前記袋からの物品の取り出しを可能にする開口部を一つの縁部と隣接して有し、前記係合手段の各々は、前記袋の他の縁部と隣接して設けられており且つ前記袋を貫通する穴を含み、この穴は前記細長い収納構成要素の一つを受け入れるための比較的広幅な部分及び前記他の縁部と連通した比較的狭幅の部分を有し、これにより、前記比較的狭幅の部分と隣接した弾性材料の変形により前記袋を前記細長い収納構成要素上に配置でき且つこの構成要素から取り外すことができる、収納システム。
【請求項３】
請求項２に記載の収納システムにおいて、前記他の縁部は前記一つの縁部とは反対側の縁部である、収納システム。
【請求項４】
請求項２又は３に記載の収納システムにおいて、前記袋は可撓性材料製であり且つ前記他の縁部と隣接した延長部を更に含み、この延長部には、前記袋の残りの部分よりも剛性の大きい弾性材料でできた構成要素が設けられており、前記穴は前記構成要素に形成されている、収納システム。
【請求項５】
請求項２、３、又は４に記載の収納システムにおいて、前記一つの縁部と隣接した可撓性延長部を更に含み、この延長部はフラップを形成し、このフラップは、前記袋の前記開放縁部から延びる物品の後側に前記フラップが配置されて物品を袋に挿入したり物品を袋から取り出したりできる第１位置と、前記物品を前記袋内に固定するために前記袋の前記開放縁部から延びる物品の一部の上に前記フラップが配置された第２位置との間で移動自在である、収納システム。
【請求項６】
請求項５に記載の収納システムにおいて、前記可撓性延長部には、更に、ラベルを受け入れるためのスリーブが設けられている、収納システム。
【請求項７】
請求項１乃至６のうちのいずれか一項に記載の収納システムにおいて、前記細長い構成要素は直線状であり、前記ラックの両端に二つの端支持体が配置されている、収納システム。
【請求項８】
請求項７に記載の収納システムにおいて、前記細長い構成要素は、前記ラックを表面上に置くと前記細長い構成要素がこの表面と平行に延びるように第１及び第２の連結部材の間を延びており、前記端支持体は前記第１及び第２の連結部材に連結されており且つ前記細長い構成要素に対して略垂直な平面内を延びる、収納システム。
【請求項９】
請求項８に記載の収納システムにおいて、少なくとも一つの端支持体には、この端支持体の平面から外方に延びる部分が設けられており、夫々の連結部材には、対応する位置まで外方に突出した部分が設けられており、これにより、前記ラックを、前記端支持体が表面と隣接し且つ前記細長い構成要素が前記表面に対して垂直方向に延びる別の形体で前記表面上に置くことができ、前記ラックは、前記端支持体及び連結部材の、前記外方に延びる部分によって支持される、収納システム。
【請求項１０】
請求項８又は９に記載の収納システムにおいて、各端支持体は、端部が夫々の連結部材のところで終端するＵ形状ループの形体をなしている、収納システム。
【請求項１１】
請求項８、９、又は１０に記載の収納システムにおいて、前記端支持体は、前記細長い構成要素に対して略垂直な位置から前記細長い構成要素に関して略平行な第２位置まで回転できるように、前記第１及び第２の連結部材に回転自在に取り付けられている、収納システム。
【請求項１２】
請求項８乃至１１のうちのいずれか一項に記載の収納システムにおいて、前記端支持体は前記連結部材に取り外し自在に連結されている、収納システム。
【請求項１３】
請求項８乃至１２のうちのいずれか一項に記載の収納システムにおいて、前記第２連結部材は、前記第１連結部材に対して前記細長い構成要素に沿って移動できる、収納システム。
【請求項１４】
請求項１３に記載の収納システムにおいて、前記細長い構成要素は、自由端が前記第１連結部材に連結されたＵ形状部材の脚部であり、前記細長い構成要素は、摺動する様式にて前記第２連結部材を通って延びている、収納システム。
【請求項１５】
請求項１３又は１４に記載の収納システムにおいて、前記第２連結部材には、前記ラックを置いた表面上での移動を容易にするための手段が設けられている、収納システム。
【請求項１６】
請求項１乃至６のうちのいずれか一項に記載の収納システムにおいて、前記収納ラックはウォレットの形体をなしており、前記細長い構成要素は前記ウォレット内でフープ形体をなしている、収納システム。
【請求項１７】
請求項１乃至１６のうちのいずれか一項に記載の収納システムにおいて、各袋はデータディスクを収容するようになっている、収納システム。
【請求項１８】
請求項１乃至１７のうちのいずれか一項に記載の収納システムで使用するための収納ラックにおいて、第１及び第２の連結部材の間を延びる一対の平行な横方向に間隔が隔てられた細長い直線状構成要素を含み、これにより、前記細長い構成要素が表面と平行に延びる状態で前記表面上に前記ラックを置くことができ、前記第１及び第２の連結部材には、前記細長い構成要素に対して略垂直な平面内を延びる端支持体が連結されており、少なくとも一つの端支持体には、前記端支持体の平面から外方に延びる部分が設けられており、夫々の連結部材には、対応する位置に対して外方に突出した部分が設けられており、これにより、前記端支持体が前記表面と隣接し且つ前記細長い構成要素が前記表面に対して垂直方向に延びる別の形体にて前記ラックを前記表面上に置くことができ、前記ラックは、前記端支持体及び連結部材の、前記外方に延びる部分によって支持される、収納ラック。
【請求項１９】
請求項１乃至１７のうちのいずれか一項に記載の収納システムで使用するための収納ラックにおいて、第１及び第２の連結部材の間を延びる一対の平行な横方向に間隔が隔てられた細長い直線状構成要素を含み、これにより、前記細長い構成要素が表面と平行に延びる状態で前記表面上に前記ラックを置くことができ、前記第１及び第２の連結部材には、前記細長い構成要素に対して略垂直な平面内を延びる端支持体が連結されており、前記第２連結部材は前記第１連結部材に対して前記細長い構成要素に沿って移動できる、収納ラック。
【請求項２０】
請求項１乃至１７のうちのいずれか一項に記載の収納システムで使用するための収納袋において、前記袋は、前記袋への物品の挿入及び前記袋からの物品の取り出しを可能にする開口部を一つの縁部と隣接して有し、一対の係合手段が前記袋の他の縁部と隣接して設けられており、各係合手段は前記袋を貫通する穴を含み、この穴は細長い構成要素を受け入れるための比較的広幅な部分及び前記他の縁部と連通した比較的狭幅の部分を有し、これにより、前記比較的狭幅の部分と隣接した弾性材料の変形により前記袋を収納システムの前記ラックの前記細長い収納構成要素上に配置でき且つこの構成要素から取り外すことができる、収納袋。
【請求項２１】
収納ラック及びこのラックによって支持され且つこのラックと取り外し自在に係合する複数の収納袋を含む収納システムにおいて、前記収納ラックは細長い構成要素を含み、各収納袋には前記細長い構成要素と係合するように構成された係合手段が設けられており、前記係合手段は、細長い構成要素に横方向に押し付けることができ且つ前記細長い構成要素からの意図せぬ係合解除に抵抗するように、弾性であり且つ開放部分を有し、前記係合手段は、前記ラックに関する前記袋の摺動を許容する、収納システム。
【請求項２２】
請求項１７に記載の収納システムにおいて、前記袋に収納されたデータディスクを含む、収納システム。
【請求項２３】
請求項２２に記載の収納システムにおいて、各袋にはブランクデータディスクが収納されている、収納システム。
【発明の詳細な説明】
【技術分野】
【０００１】
本発明は、主として、コンパクトディスク、ＣＤ−ＲＯＭ、ＤＶＤ、いわゆるミニディスク、等のデータの記憶に使用されるディスクに関するが、これに限定されない。
【背景技術】
【０００２】
ディスクの中身は重要でなく、音楽、ビデオ、マルチメディア、コンピュータデータ、コンピュータプログラム等である。確かに、ディスクはブランクであってもよいし、こうしたコンテンツ用に使用してもよい。同様に、ディスクの物理的フォーマットも重要でなく、通常は円形のディスクであるが正方形、矩形、六角形、又は任意の他の規則的な又は不規則な形状であってもよい。ＣＤやＤＶＤ等の回転されるようになったディスクであればよく、又は例えばこれらが定置の状態でスキャンされるように商業化されたフォーマットであってもよい。従って、「ディスク」という用語は、必ずしも円形でなく、必ずしも現在のＣＤやＤＶＤ等と同じ方法で使用されるのでない範囲の製品を含むように広く解釈されるべきである。一般的には平らな物品であり、比較的薄く、例えば厚さが５ｍｍ以下であり、好ましくはほぼ１ｍｍである。代表的には最大寸法、ＣＤ円形ディスクのケースの直径は１５０ｍｍ以下であり、従来のＣＤやＤＶＤ等は約１００ｍｍ乃至１２０ｍｍである。しかしながら、ディスクの寸法は問題でないが、以下に説明する袋内に収納するのに適当でなければならない。ディスクの材料もまた関係ないが、代表的には、ディスクは軽量であり、プラスチック材料で形成されている。ディスクの物理的特性は本発明に関係ないが、ディスクは、しばしばある程度の可撓性を提示するものの、一般的には堅いものである。
【０００３】
本発明は、ディスク用の収納システムに特に適用できるが、紙、本、新聞、等を収納しておくのにも同様に適している。
【発明の開示】
【発明が解決しようとする課題】
【０００４】
ＣＤやＤＶＤ等は、音楽、ビデオ、コンピュータデータ、コンピュータプログラム等を記憶するのに広く使用されている。これらは、予め決定された記録された状態で、又はコンピュータのＣＤやＤＶＤ用の読み取り／書き込み装置又は特にテレビ番組を記録するようになったＤＶＤレコーダー等の適当な装置を使用して使用者が記録するためのブランクで供給される。代表的な使用者は様々な目的で数百枚ものディスクを持っており、これにより収納上の問題が生じる。消費者は、代表的には、剛性プラスチック製のケースにディスクを入れる。これらは収容するディスクよりもかなり厚いため、収納上の問題が更に大きくなる。ディスクを収納するために、複雑なラックシステム又は引出しシステムから、選択されたディスクを入れて持ち運ぶためのウォレット(wallet)まで、多くの提案がなされてきたが、これらには様々な欠点があった。例えば、代表的には、使用者が選択したディスクを持ち運ぼうとする場合、ケースをラック又は引出しから取り出し、ディスクをケースから出して空になったケースをラック又は引出しに戻した後、ディスクをウォレットの袋の中に入れる必要がある。
【課題を解決するための手段】
【０００５】
本発明の第１の特徴によれば、収納ラック及びこのラックと取り外し自在に係合した複数の収納袋を含む収納システムにおいて、収納ラックは二つの平行な横方向に間隔が隔てられた細長い構成要素を含み、各収納袋には、細長い構成要素の夫々と係合するように構成された一対の係合手段が設けられており、これらの係合手段の各々は、夫々の細長い構成要素に横方向に押し付けることができ且つ細長い構成要素からの意図せぬ係合解除に抵抗するように、弾性であり且つ開放部分を有し、係合手段は、細長い構成要素に関する前記袋の摺動を許容する、収納システムを提供する。
【０００６】
本発明の第２の特徴によれば、収納ラック及び少なくとも一つの収納袋を含む収納システムにおいて、収納ラックは二つの平行な細長い構成要素を含み、収納袋は前記二つの平行な細長い構成要素と係合するように構成された二つの穴を含む、収納システムを提供する。好ましくは、係合は、袋の取り出し及び取り付けを可能にするスナップ連結の形態で行われる。好ましくは、係合は、細長い構成要素に関する袋の摺動を許容する。
【０００７】
変形例の構成では、袋の取り付け及び取り外しを可能にする一つの係合手段又は穴が袋用の追加の支持手段とともに設けられていてもよい。例えば、横方向に間隔が隔てられた平行な細長い三つの構成要素が設けられていてもよい。二つの構成要素は支持機能だけを提供し、第３の構成要素が取り付け手段を提供する。
【０００８】
本発明の別の特徴によれば、収納ラック及びこのラックによって支持され且つこのラックと取り外し自在に係合した複数の収納袋を含む収納システムにおいて、収納ラックは細長い構成要素を含み、各収納袋には細長い構成要素と係合するように構成された係合手段が設けられ、この係合手段は、細長い構成要素上に横方向に押し付けることができ且つ細長い構成要素からの意図せぬ係合解除に抵抗するように、弾性であり且つ開放部分を有し、前記係合手段はラックに関する袋の摺動を許容する、収納システムを提供する。
【０００９】
本発明の別の特徴によれば、ディスク又は他の物品用の好ましくは可撓性材料製の収納袋を提供する。これは、多用途であり且つラック等の半永久的収納設備で、又は収納用ウォレット等の持ち運び自在の製品で取り外し自在に使用できる。本発明のこの特徴により、ディスクの挿入及び取り出しを可能にする開口部が一つの縁部と隣接して設けられ、他の縁部と隣接して穴が設けられた収納袋が提供される。穴は、細長い収納構成要素を受け入れるための比較的広幅の部分及び前記他の縁部と連通した比較的狭幅の部分を有し、比較的狭幅の部分と隣接した弾性材料を変形させることによって、袋を細長い収納構成要素に配置したりここから取り出したりできる。
【００１０】
代表的には、穴の比較的広幅の部分は、例えば円形の収納ロッドを受け入れるように円形である。しかしながら、この他の断面が可能であり、例えば正方形断面の穴を、適合する細長い構成要素とともに又はむしろ円形断面部材とともに使用してもよい。比較的狭幅の部分は、広幅の部分から縁部まで延びる単なるスリット又はスロットの形態であってもよい。別の態様では、比較的狭幅の部分は、収納構成要素上への袋の配置を容易にするため、袋の縁部に向かって外方にテーパしていてもよい。このような構成では、穴は鍵穴のような外観を有する。
【００１１】
一般的には、前記他の縁部の各端と各々隣接した二つの穴が設けられている。この場合、袋は、二つの平行な細長い構成要素を持つ収納ユニットで使用するのに適している。部材は直線をなして延びている必要はなく、機能上及び美観上の理由により、湾曲していてもよい。一般的には、ラックについては、二つの平行な直線状部材が設けられる。ウォレットについては、一般的には、曲げてループにした二つの平行な部材が設けられる。
【００１２】
ラックは、二つの平行な細長い構成要素を提供するように曲げた一本の金属製ワイヤ又はロッド並びに端支持体及び両端の二つの脚部で形成されていてもよい。このような構成では、ラックをその端部を下にして立ててもよく、この場合、二つの脚部及び端支持体の端部が三点支持を提供する。以下に論じる他の形態のラックが可能であり、所望により、木製、金属製、又はプラスチック製であってもよく、細長い構成要素は、金属製、木製、又はプラスチック製のロッド等の選択された材料から形成される。
【００１３】
袋は、プラスチック（例えばポリプロピレンやアクリル樹脂）等の適当なシート材料から形成されていてもよく、所望により、透明、半透明、着色、又は不透明であってもよい。袋は、袋の内容物に引っかき傷等の損傷が加わらないように、軟質の材料で内面がライニングしてあってもよい。
【００１４】
代表的には、袋の主部は、構成を簡単にするため、略正方形であり、一方の縁部が開放しており且つ他の三つの縁部が接着や溶接等で閉じてある。細長い構成要素を受け入れるための穴は、開放した縁部とは反対側の縁部と隣接している。
【００１５】
ディスクの出し入れを容易にするため、袋の開口部と隣接した一つの縁部を、僅かな折り目を設けることによって外方に変形させることができる。
【００１６】
袋には、ラベルとして作用する又はラベルを受け入れることができる第１延長部が開放縁部と隣接して設けられていてもよい。例えば、ラベルを受け入れるための一端又は各端が開放したスリーブを提供するように延長部を折り返して接着してもよい。ラベルの出し入れを補助するのに使用者が指を使用できるように、スリーブの一方の面に楕円形等の一つ又はそれ以上の切り欠きを設けてもよい。
【００１７】
第１延長部は、下縁が袋の内容物、例えばＣＤの頂部を越えて延びることによって内容物を袋から落とさないように、フラップを形成するように（例えば二度折り返すことによって）構成されていてもよい。袋の材料は、好ましくは、開放縁部から延びるディスクの頂部上にフラップを「被せる」ことができ、これによってディスクを袋内に固定するように、及びディスクを袋から取り出すことができるように同様にディスクの後側に返すことができるように適当な可撓性を備えている。
【００１８】
好ましくは、袋には、開放縁部とは反対側の縁部と隣接して第２延長部が設けられている。これは、半剛性構成要素を受け入れるように構成された通路として作用し、又は通路を形成する。半剛性構成要素は、袋と同じ又は同様の材料で形成されていてもよく、これは、代表的には可撓性プラスチック材料であるが、袋よりも剛性の大きいものが選択される。好ましくは、穴及び比較的狭幅の区分は半剛性材料で形成されており、これによって細長い収納構成要素としっかりと連結する。
【００１９】
ディスクを収納する袋は、ディスクを収納する従来のプラスチック製ケースよりもかなり薄く且つ軽量である。所与の収納空間に対して、既知のシステムよりもかなり多くのディスクを収容できる。所望のディスクを見つけるために袋をぱらぱらと捲った後、袋及びディスクをラック又はウォレットの細長い構成要素から取り出すのが容易である。次いで、ディスクを所望の通りに使用し、持ち運び、郵送することができる。使用後、ディスクを収納した袋を細長い構成要素に再配置できる。袋及びディスクを長期収容ラックから取り出し、持ち運ばれるべきウォレットに入れることができる。ウォレットは、袋の穴に受け入れられる一対の平行なフープを有する。
【００２０】
仕切り、及び所望であれば副仕切りを設けてもよい。これらは、所望であれば、袋よりも剛性が大きいが必ずしもそうでなくてもよい。仕切り及び副仕切りは、好ましくは、何らかの袋ラベルを含む、袋の頂部の上方に延びるラベルを備えている。主仕切りは、例えばこれらの仕切りの全幅に亘って延びるラベルを備えていてもよいが、これに対し、副仕切りは、部分的にだけ延びるラベルを備えていてもよい。副仕切りは、索引を容易にするため、それらのラベルの位置がずらしてある。
【００２１】
更に、別の態様では、仕切りの機能の代わりに又は仕切りの機能と組み合わせて、選択した袋をラックの好ましい位置に保持するのに使用できる一つ又はそれ以上のセパレーターが設けられていてもよい。このようなセパレーターは、細長い構成要素に沿って一方の方向に容易に移動できるが、他方の方向での移動に抵抗する。ラック上の適当な箇所で袋を互いに押し付けることができる。セパレーターは、細長い構成要素を受け入れるための穴及び一方の方向での移動に抵抗するために細長い構成要素と係合するばね部分を備えていてもよい。
【００２２】
袋及び／又は仕切りには、使用者用のステンシル又はテンプレートとして作用する、袋又は仕切りの前後の部分を通って延びる切り欠き部分が設けられていてもよい。切り欠きの大きさ及び形状は、好ましくは、袋の第１延長部によって画成された通路に入れることができるラベル又は副仕切りのラベルの大きさと対応するように選択される。
【００２３】
袋は、別の態様では、様々な厚さの物品を収容できるように膨張可能であるように構成されていてもよい。この構成では、袋の前面及び後面は、袋の閉鎖した縁部がアコーディオンのような形状を示すように、一連の折り目によって互いに連結されていてもよい。袋の前面及び後面は、これによって、袋が膨張できるように互いに対して移動できる。この構成では、前面及び後面の各々には、開放縁部とは反対側の縁部と隣接して延長部が設けられており、この延長部は半剛性構成要素を受け入れるように構成されている。袋の前面及び後面は、これによって、ラベルの細長い構成要素に取り付けることができる。
【００２４】
５０枚、１００枚、又はそれ以上のブランクディスクのスタックを適当なラックに取り付けた袋に入れた状態で供給できる。
【００２５】
袋の穴の大きさ及び形体は、袋が使用される細長い構成要素の形態に関し、袋を細長い構成要素に置いたりここから取り出したりできるが、誤って取り出されることに抵抗するように選択される。例えばラックを引っ繰り返した場合でも落下に抵抗できる。
【００２６】
ラックは、細長い構成要素に載った袋が細長い構成要素から吊り下げられてもよいし、細長い構成要素から側方に突出していてもよい。ラックは、美観上の理由又は機能上の理由により、湾曲した経路に従った細長い構成要素を備えていてもよく、連続したループをなしていてもよい。ラックは、机やテーブル等の表面上に配置されるように構成されていてもよいし、壁に取り付けられるように構成されていてもよく、又は二つの細長い構成要素を持つ箱又は他のケースの形態であってもよい。特定の形体のラックは、別の態様では、一方の端部を下にして配置されてもよい。ラックの部分が、ラックの持ち運びを容易にするためのハンドルとして役立つ。
【００２７】
ラックには、例えば細長い構成要素を長くしたり短くしたりすることによってラックを伸ばしたり小さくしたりできる手段が設けられていてもよい。これは、置換構成要素を使用することによって、又は例えば小径部分が大径部分の内側で摺動する入れ子構成要素を提供することによって行うことができる。かくして、ラックを広げることによって袋に容易にアクセスでき、ラックを縮めることによってきちんと片づけることができる。拡げることができるラックは、パッケージングの目的で有用であり、消費者はラックを最も小さな形体で購入した後、使用のためにこれを所望の通りに拡げる。
【００２８】
ラックよりも少数の袋を入れるためのウォレットは、ルーズリーフのバインダーと似ているが、紙を追加したり取り除いたりするために開放するリングでなく、連続したリングを備えている。
【００２９】
本発明の別の特徴は、上文中に説明したように複数の袋を、各袋に設けられた二つの穴の横方向間隔と同じ横方向間隔を持つ二つの平行な細長い構成要素を持つ収納装置と組み合わせて含む完全なシステムに関する。本発明のこの特徴の一つの実施形態では、収納装置はラックの形態であり、細長い構成要素は実質的に直線状である。本発明のこの特徴の別の実施形態では、収納装置はウォレットの形態であり、細長い構成要素はウォレット内のフープの形態である。
【００３０】
別の特徴から見ると、本発明は、上文中に説明した複数の袋を保持するためのラックを提供する。このラックは、前記袋の穴を通過するように構成された一対の平行な細長い構成要素を含み、前記細長い構成要素は、ラックを、表面上に、細長い構成要素がこの表面と平行に延びる状態で置くことができるように、第１及び第２の連結部材間を延びており、端支持体が前記第１及び第２の連結部材に連結されており且つ細長い構成要素に対してほぼ垂直な平面内を延びる。
【００３１】
好ましくは、少なくとも一方の端支持体の一部が端支持体の平面から外方に延びており、夫々の連結部材には、端支持体の平面から外方に突出した部分が設けられており、そのため、ラックを、表面上に、端支持体がこの表面と隣接しており且つ細長い構成要素が表面に対して垂直に延び、ラックが、前記端支持体及び連結部材の、前記外方に延びる各部分によって支持される別の形体で載せることができる。
【００３２】
各端支持体は、好ましくは、細長い構成要素の平面に対して略垂直な方向に延びるＵループの形体をしており、このＵループの端部は夫々の連結部材で終端する。
【００３３】
端支持体は、連結部材に固定されていてもよく、またはラックを平らに折り畳むことができるように取り外し自在であってもよい。好ましくは、端支持体は、細長い構成要素の平面に対してほぼ垂直な位置とほぼ細長い構成要素の平面内の位置との間で回転できるように連結部材を中心として回転自在に取り付けられている。かくして、包装、収納、又は輸送のためにラックを平らに折り畳むことができる。
【００３４】
細長い構成要素は、各連結部材に固定された、これらの連結部材で終端する二つの平行なロッド又はバーの形体をしていてもよい。好ましくは、細長い構成要素はＵループの形体をしており、このＵループの端部は一方の連結部材で終端し、二つの平行な細長い部材が第２連結部材を通って延びるように構成されている。ＵループのＵ形状部分は、これによって、第２連結部材の外側に配置される。第２連結部材は、好ましくは、平行な細長い構成要素に沿って第１連結部材に対して移動するように構成されている。
【００３５】
第２連結部材には、この第２連結部材が表面上で第１連結部材に対して自由に移動できるように、滑らかな下面又はホイールやローラー等が設けられていてもよい。第１連結部材には、第２連結部材を第１連結部材に対して移動するときに第１連結部材が動かないように、接着性の下面（例えばゴム等）が設けられていてもよい。
【００３６】
連結部材の下面には、例えばフックを使用してラックを垂直な表面に取り付けることができるように、凹所が設けられていてもよい。
【００３７】
別の特徴から見ると、本発明は、第１及び第２の連結部材間を延びる一対の平行な横方向に間隔が隔てられた細長い直線状の構成要素を含む収納ラックを提供する。このラックは、表面上に、細長い構成要素がこの表面と平行に延びる状態で置くことができる。端支持体が前記第１及び第２の連結部材に連結されており、前記細長い構成要素に対してほぼ垂直な平面内を延びている。これらの端支持体の少なくとも一方の一部が端支持体の平面から外方に延びており、夫々の連結部材には、端支持体が表面と隣接し且つ細長い構成要素が表面に対して垂直に延びる別の形体でラックを表面上に載せることができるように、対応する位置まで外方に突出した部分が設けられており、ラックは、前記端支持体の前記外方に延びる部分及び前記連結部材によって支持される。
【００３８】
別の特徴から見ると、本発明は、一対の平行な横方向に間隔が隔てられた細長い直線状の構成要素を含む収納ラックを提供する。前記構成要素は、細長い構成要素が表面と平行に延びるようにラックを表面上に載せることができるように第１及び第２の連結部材間を延びる。端支持体は前記第１及び第２の連結部材に連結されており、前記細長い構成要素に対してほぼ垂直な平面内を延びる。前記第２連結部材は、細長い構成要素に沿って前記第１連結部材に対して移動できる。
【００３９】
別の特徴から見ると、本発明は、各々が上述の袋に入った複数のディスクを含み、これらの袋が収納システムのラックの細長い構成要素に上文中に説明したように取り付けられた、パッケージを提供する。これにより、例えば大量のディスクをパッケージングするための従来の方法に対する便利で機能的な代替策が提供される。
【００４０】
別の特徴から見ると、本発明は、各ディスクを上文中に説明したように袋に入れる工程、及び各袋を収納システムのラックの細長い構成要素に上文中に説明したように取り付ける工程を含む、複数のディスクの収納方法を提供する。
【００４１】
本発明の別の特徴は、第１及び第２の支持部材間に配置された一対の実質的に直線状の細長い構成要素を含む収納ラックを提供する。第１及び第２の支持部材は、使用時に、実質的に直線状の細長い構成要素が表面と平行に延びるように構成されている。一対の逆Ｕ形状の端支持体の各々が前記第１及び第２の支持部材の一方の上面に連結されており、細長い構成要素の平面に対してほぼ垂直な平面内を延びる。前記逆Ｕ形状の端支持体の少なくとも一方の一部が端支持体の平面から外方に突出している。
【００４２】
本明細書中に説明した特徴の各々は、ここに説明する構成又は実施形態の各々と組み合わせて便利に使用できるということは理解されよう。
【００４３】
次に、本発明の幾つかの実施形態を単なる例として添付図面を参照して説明する。
【発明を実施するための最良の形態】
【００４４】
次に図１を参照すると、この図には、コンパクトディスク２が入った透明プラスチック材料製のプラスチック袋１が示してある。コンパクトディスク２は、袋の一つの縁部に沿った開口部３を通して挿入され、そして取り出すことができる。プラスチック材料製シートは前面４及び後面５を有し、他の各縁部は互いに結合されており、又は材料の折り目によって形成されている。
【００４５】
後面５の上縁部には第１延長部６が設けられており、この延長部は、ディスクの内容を記載できるラベル７を入れるための通路を形成するため、一度折り重ねられている。この延長部は、二度折り返すことができるのに十分に長く、そのため、ＣＤを袋に挿入したとき、延長部６がＣＤ２の後側にある状態でＣＤ２の上端位置の下にその下面８が延びる。延長部は、通路の幅、及び従って通路に収容できるラベルの幅に影響が及ぼされないように折り畳まれ、外縁部に結合される。
【００４６】
図１は、ＣＤ２を袋１に入れたときの延長部を示す。図２は、ＣＤ２（破線で示す）の上に折り畳んだ延長部６を示す。延長部６の下縁はＣＤ２の上端位置の下にあることがわかる。これによって、延長部６の構成は、ＣＤを袋内に収容し、ＣＤ（即ち袋の内容物）が袋の上から落下しないようにする。ＣＤを袋内に固定するため、使用者はＣＤを袋に滑り込ませた後、延長部をＣＤの前側に被せる。袋及び延長部の材料は十分に可撓性であり、ＣＤを保持するためにＣＤの前側に延長部を被せた後、ＣＤを取り出すことができるようにＣＤの後側に返すことができる。
【００４７】
図３は、第１延長部６が画成した通路に部分的に挿入したラベル９を示す。通路の後側には、挿入中にラベルを指で操作できるように二つの楕円形の開口部１０、１１が設けられている（図２に示す）。
【００４８】
図１を再度参照すると、袋１には、ストリップ１３を受け入れるための通路を提供するように構成された第２延長部１２が開口部３とは反対側の縁部と隣接して設けられている。ストリップ１３は比較的剛性であり、例えば図５に示す細長い直線状の構成要素１９、２０上で袋を支持するように作用する。ストリップ１３は、剛性を高めるように袋１よりも厚い材料、例えば厚さが約３ｍｍのポリプロピレンでできている。ストリップ１３は、図５に示す直線状の細長い構成要素をグリップするように作用する剛性ストリップを提供する。
【００４９】
ストリップ１３は二つの「鍵穴」形状の穴１４、１５を含み、これらの穴の各々は、狭幅であるが外方にテーパした部分を介して縁部と連通した円形部分を有する。これらの鍵穴部分は、図５に示す細長い構成要素と係合するように作用する。
【００５０】
図４は、第２延長部１２及び鍵穴部分１４、１５を示す拡大図である。図１及び図４に示すように、第２延長部には、鍵穴部分１４、１５の位置と対応する略三角形の開口部１６、１７が設けられている。
【００５１】
図５は、図１乃至図４を参照して上文中に説明した多くの袋に関して使用するための収納ラック１８を示す。ラックは、円形断面ロッドの形態の二つの平行な細長い直線状構成要素１９及び２０を含む。二つの平行な細長い構成要素は、端支持体２１と２２との間に配置されている。これらの端支持体は構造に関して概ね鏡像対称である。
【００５２】
二つの平行な細長い直線状構成要素１９、２０は、第１及び第２の連結部材２３、２４間を延びている。
【００５３】
細長い直線状の構成要素１９、２０は、Ｕ形状に曲げた一本の円形断面のロッド又はバーで形成されている。円形断面Ｕ形状は、二つの細長い構成要素１９、２０が第２連結部材２４を通過し、第１連結部材２３で終端するように構成されている。これによって、図５に参照番号２５で示すようにＵ状部は第２連結部材２４から突出する。第２連結部材には、第２連結部材が直線状の細長い構成要素１９、２０に沿って第１連結部材に対して摺動できるように、細長い部材と対応する大きさの穴が設けられている。これによって、連結部材２３、２４間の距離を変化させ、ラック上の袋のための間隔を大きくしたり小さくしたりできる。これはまた、特定の袋をラックに配置したり取り出したり連結したりすることを可能にする上で便利である。
【００５４】
第２連結部材を第１連結部材に対して移動するときにラック全体が動いたりしないようにするため、第１連結部材には、ラックが配置された表面をグリップするようにゴム製の表面又はコーティングが設けられている。第２連結部材の下面は、第１連結部材に対して自由に移動できるように、実質的に平滑であってもよく及び／又はホイール、ボール、ローラー等が設けられていてもよい。
【００５５】
図６はラックを別の角度から示す。
【００５６】
図７は、図１乃至図４に示す複数の袋１を収容したラックを示す。これらの袋は、図５及び図６に示す細長い部材１９、２０に配置されており、袋をラックに押し付けることによって細長い部材の各々を図１に示す各穴１４、１５の外方にテーパした部分の夫々に通すことによって細長い部材に取り付けられる。袋は、取り外し及び再配置を所望の通りに容易に行うことができる。図７は、ラック及び袋を持ち運ぶのに端支持体２１、２２を用いるのが便利であることを示す。
【００５７】
図５、図６、及び図７は第１及び第２の連結部材２３、２４から上方に延びる端支持体２１、２２を示す。図７に示すように、端支持体２１、２２は、袋が細長い構成要素１９、２０に配置されたときにこれを支持するように作用する。
【００５８】
各端支持体２１、２２は、図５に示すようにＵ形状に曲げた一つの連続した長さの金属ロッドで形成されている。端支持体２１、２２の上端は図５に参照番号２６ａ、２６ｂで示すように、ラックの中央から遠ざかる方向に傾いている。
【００５９】
端支持体２１、２２の下端は、図５に参照番号２７及び２８によって、及び図６に参照番号２９及び３０によって示す、連結部材のスロットに連結されている。これらのスロットは、端支持体が図５及び図６に示す略垂直な位置と図８に示す略水平な位置との間で回転できるように構成されている。これにより、使用していない場合、又は包装するときや輸送中にラックを平らに折り畳むことができる。スロット２７、２８、２９、３０は、好ましくは、使用者が動かすまで、端支持体が垂直位置又は水平位置に係止された状態にとどまるように形成されている。
【００６０】
図９は、ラックが平らな表面でなく壁に配置された場合の形体を示す。図示のように、端支持体２１は、便利には、ラックを壁等から吊り下げるができるようにフック３１に配置できる。
【００６１】
図１０はラックを別の配向で示す。この配向では、ラックは袋を水平平面内に保持するように構成されている。図示のように、第１連結部材２３が端支持体２１と組み合わさってラックの端部を支持するように作用する。端支持体２１の角度をなした部分２６ａは、ラックが端支持体２１の端部及び第１連結部材２３の底部に載るようになっている。ラックは、これによって、その端部を下にして置いたときに平らであり且つ安定している。この構成では、第２連結部材２４は第１連結部材２３に対して細長い部材１９、２０に沿って垂直方向に移動する。この構成では、細長い構成要素の部分２５は、便利には、持ち運び用ハンドルとして使用できる。
【００６２】
図１１は、図１乃至図４に示す選択した袋を保持するためのウォレットを示す。このウォレットは、背骨部分３４によって接合された主部分３２及び３３を有する。部分３３の端部にはフラップ３５が設けられている。背骨部分３４には、袋１を上述の実施形態の直線状ロッドと同じ方法で受け入れるための二つの平行な金属製の連続したループ３６及び３７が設けられている。袋は、ループに押し付けることによって容易に取り付けることができる。袋は、故意に引き離すまでその位置に止まる。
【００６３】
かくして、袋の中身を誤って落とすことがないようにする容易に入れることができる開口部及び使用が容易なラベル装置を持つ新規な袋を組み込んだ新規であり且つ融通性のあるディスク収納システムが提供される。このシステムは、更に、ディスクのコレクションを保持するため又はブランクディスクを纏めて供給するための様々な配向で使用できる新規なラック、及び新規なウォレットを提供する。
【図面の簡単な説明】
【００６４】
【図１】ＣＤが入った本発明による袋の正面図である。
【図２】ＣＤが袋内に固定された、図１の袋の正面図である。
【図３】部分的に挿入したラベルを示す、本発明による袋の正面図である。
【図４】半剛性構成要素を持つ袋延長部を示す図である。
【図５】多くの袋について使用するための本発明によるラックの第１斜視図である。
【図６】本発明によるラックの第２斜視図である。
【図７】図１に示す多くの袋を収納するラックの斜視図である。
【図８】端支持体を平らに畳んだラックの斜視図である。
【図９】垂直な表面に取り付けるように構成されたラックを示す図である。
【図１０】ラックを別の配向で示す図である。
【図１１】本発明による袋を収納するウォレットの斜視図である。
【図１】
2007526180.tif 000003
【図２】
2007526180.tif 000004
【図３】
2007526180.tif 000005
【図４】
2007526180.tif 000006
【図５】
2007526180.tif 000007
【図６】
2007526180.tif 000008
【図７】
2007526180.tif 000009
【図８】
2007526180.tif 000010
【図９】
2007526180.tif 000011
【図１０】
2007526180.tif 000012
【図１１】
2007526180.tif 000013
【国際調査報告】
2007526180.tif 000014
2007526180.tif 000015
2007526180.tif 000016